【事件の表示】
　特願２００７−３３４６３１「ディスク装置およびフィルタ」拒絶査定不服審判事件〔平成２１年　７月１６日出願公開、特開２００９−１５８０００〕について、次のとおり審決する。
【結　論】
　本件審判の請求は、成り立たない。
【理　由】
第１　手続の経緯 
　本願は、平成１９年１２月２６日の出願であって、平成２４年５月１日付けで拒絶理由が通知され、同年７月５日付けで手続補正されたが、同年１２月１０日付けで拒絶査定がなされ、これに対し、平成２５年２月６日に拒絶査定不服の審判が請求されるとともに、同日付けで手続補正され、同年４月１５日付けで審尋がなされたが、回答書が提出されず期間経過となったものである。
 　 
第２　補正却下の決定 
［補正却下の決定の結論］
　平成２５年２月６日付けの手続補正を却下する。 
　
［理由］ 
１．本願発明と補正後の発明 
　上記手続補正（以下、「本件補正」という。）は本件補正前の平成２４年７月５日付け手続補正書の特許請求の範囲の請求項１に記載された 
　
　「記録媒体であるディスクを回転させる回転駆動部と、前記ディスクに対して記録再生を行うヘッドを前記ディスク上の所定の地位に回転移動させるヘッドスタックアセンブリとをベース上に備えるディスク装置であって、
　前記ディスク上から退避された前記ヘッドを載置するランプと前記回転駆動部の回転中心に対して略対称に設けられ、前記回転駆動部の回転軸方向における前記ディスクの動きを規制するリミッタを有するフィルタを備え、
　前記ディスクの径方向において、前記ディスクの最外周から前記リミッタの内周側の端部までの長さは、前記ディスクのデータ記憶領域よりも外周側の外周領域の長さよりも短いことを特徴とする、ディスク装置。」
 　
という発明（以下、「本願発明」という。）を、 
　
　「記録媒体であるディスクを回転させる回転駆動部と、前記ディスクに対して記録再生を行うヘッドを前記ディスク上の所定の地位に回転移動させるヘッドスタックアセンブリとをベース上に備えるディスク装置であって、
　前記ディスク上から退避された前記ヘッドを載置するランプと前記回転駆動部の回転中心に対して略対称に設けられ、前記回転駆動部の回転軸方向における前記ディスクの動きを規制するリミッタを有するフィルタを備え、
　前記ディスクの径方向において、前記ディスクの最外周から前記リミッタの内周側の端部までの長さは、前記ディスクのデータ記憶領域よりも外周側の外周領域の長さよりも短く、
　前記フィルタのリミッタは、
　前記ディスクの外周領域上方に位置する第１のリミッタ部と、前記ディスクの外周領域下方に位置する第２のリミッタ部と、を備え、
　前記第１のリミッタ部と前記第２のリミッタ部とは、前記ディスクの回転軸方向において対向しないように形成されることを特徴とする、ディスク装置。」
　
という発明（以下、「補正後の発明」という。）に変更することを含むものである。 
　
２．新規事項の有無、補正の目的要件について 
　本件補正は、願書に最初に添付した明細書、特許請求の範囲又は図面に記載した事項の範囲内において、補正前の特許請求の範囲の請求項１に記載された、「リミッタ」に関し、「前記フィルタのリミッタは、前記ディスクの外周領域上方に位置する第１のリミッタ部と、前記ディスクの外周領域下方に位置する第２のリミッタ部と、を備え、前記第１のリミッタ部と前記第２のリミッタ部とは、前記ディスクの回転軸方向において対向しないように形成される」と限定して、特許請求の範囲を減縮するものであるから、特許法第１７条の２第３項（新規事項）及び同改正前の特許法第１７条の２第５項第２号（補正の目的）の規定に適合している。 
　
３．独立特許要件について 
　本件補正は特許請求の範囲の減縮を目的とするものであるから、上記補正後の発明が特許出願の際独立して特許を受けることができるものであるのかどうかについて以下に検討する。 
　
（１）補正後の発明 
　上記「１．本願発明と補正後の発明」の項で補正後の発明として認定したとおりである。 
　
（２）引用発明 
Ａ　原審の拒絶理由に引用された特開２００５−３３９７４４号公報（以下、「引用例１」という。）には、図面とともに以下の事項が記載されている。 
　
イ．「【０００１】
  この発明は、ディスク装置に関し、特に、空気に含まれるガスや塵埃を除去するための呼吸フィルタを有するディスク装置に関する。」（２頁） 
　
ロ．「【００１４】
  以下図面を参照しながら、この発明をディスク装置、すなわちハードディスクドライブ（以下、ＨＤＤと称する）に適用した実施形態について詳細に説明する。
  図１乃至図３に示すように、本実施形態のＨＤＤは、上面の開口した矩形箱状のケースであるベース筐体１と、複数のねじ（図示しない）によりベース筐体１にねじ止めされて、ベース筐体１の上端開口を閉塞するトップカバー１２と、を有している。
【００１５】
  ベース筐体１内には、磁気記録媒体として例えば２枚の磁気ディスク２、この磁気ディスク２を支持及び回転させる駆動手段としてのスピンドルモータ（以下、ＳＰＭと称する）３、このＳＰＭ３に磁気ディスク２を取り付けるときの固定部材としてのクランパ４、磁気ディスク２に対して情報の書き込み、読み出しを行なう複数の磁気ヘッド５、これら磁気ヘッド５を磁気ディスク２に対して移動自在に支持したヘッドアクチュエータ６、ヘッドアクチュエータ６を回動及び位置決めするボイスコイルモータ（以下、ＶＣＭと称する）７、磁気ヘッド５を磁気ディスク２から離間した位置に保持するランプロード機構９、及びヘッドＩＣ等を有する基板ユニット８が収納されている。」（４頁）
　
ハ．「【００２３】
  また、磁気ディスク２の外周に沿ったベース筐体５上には後述する呼吸フィルた１１が配置されている。呼吸フィルタ１１はＳＰＭ３の回転軸を中心としてランプ機構９が配置されて位置に磁気ディスク２を挟んで対象な位置に配置されている。図１、図２に示すように、具体的にはベース筐体１のランプ機構９が配置される角部と対角位置の角部に配置されるものである。
【００２４】
  この呼吸フィルタ１１はフィルタ部１１ａとリミッタ部１１ｂが一体に形成され、フィルタ部１１ａには空気を浄化するための活性炭等が充填されている。また、リミッタ部１１ｂはフィルタ部１１ａから磁気ディスク２の外周縁方向に突出して、磁気ディスク２と所定の間隔を持って磁気ディスク２の表面と重なって配置される。
【００２５】
  ＨＤＤのベース筐体１の底部には、ＨＤＤの外部との空気の出入りを可能とする呼吸孔１ａが設けられている。呼吸フィルタ１１はそのフィルタ部１１ａがベース筐体１に設けられた呼吸孔１ａ上に位置するように固定されており、ＨＤＤの外部からＨＤＤ内に侵入する空気はこのフィルタ部１ａを通って浄化される。」（５頁）
　
ニ．「【００３２】
（第２の実施形態）
  次に本発明の第２の実施形態に係る呼吸フィルタ１１の構造を図５を用いて詳細に説明する。
  本実施形態の呼吸フィルタ１１の主な構造は上述の第１の実施形態とほぼ同じである。すなわち、フィルタ部１１ａとリミッタ部１１ｂを持った構造をとっている。呼吸フィルタ１１の全体の形状は、ベース筐体１の角部に配置することを想定しているため、略台形形状の本体部があり、この本体部に空洞を設け、活性炭等の吸湿あるいは塵埃捕集用部材が充填されフィルタ部１１ａを構成している。
【００３３】
  ここで、第２の実施形態におけるリミッタ部には、上述の第１の実施形態のように、リミッタ部１１ｂが呼吸フィルタ１１の本体部の台形下底面のほぼ中心位置に１個所設けられ、呼吸フィルタ１１がベース筐体１の角部に取り付けられた際、複数枚ディスク２の間に各々の磁気ディスク２と所定の間隔を持つように、且つ、磁気ディスク２の外周から面方向にオーバーラップ（重なるように）突出している第１のリミッタ部１１ｂの他に、それぞれの磁気ディスク２の最外面に対向し、それぞれの磁気ディスク面と所定の間隔を持って、且つ磁気ディスク２の外周から面方向にオーバーラップ（重なるように）突出した第２のリミッタ部１１ｃが設けられている。
【００３４】
  すなわち、本実施形態のリミッタ部１１ｂ、１１ｃはＥブロック形状で構成され、それぞれが磁気ディスク２の外周表面と所定の間隔を持って対向することとで、磁気ディスク２同士の衝突ばかりでなく、最上面の磁気ディスクとトップカバー１２の衝突、あるいは、最下面の磁気ディスクとベース筐体１の衝突をも防止することが可能となる構造をとっている。
【００３５】
  以上述べたように、ＨＤＤの非動作時に外部から衝撃などを受けた場合のディスクとランプの接触、あるいはディスク同士の接触、更には、ディスクとトップカバー、ディスクとベース筐体の接触によるディスクの破壊を防止するための第１のリミッタ部１１ｂと第２のリミッタ部１１ｃとを、ＨＤＤ外部から侵入する空気を浄化する呼吸フィルタ１１に一体に設けることで、ＨＤＤ装置内の部品点数を増やさずディスク変形を規制することが可能となる。」（６〜７頁）
　
　上記引用例１の記載及び図面並びにこの分野における技術常識を考慮すると、上記イ．、上記ロ．の【００１５】における「ベース筐体１内には、磁気記録媒体として例えば２枚の磁気ディスク２、この磁気ディスク２を支持及び回転させる駆動手段としてのスピンドルモータ（以下、ＳＰＭと称する）３、このＳＰＭ３に磁気ディスク２を取り付けるときの固定部材としてのクランパ４、磁気ディスク２に対して情報の書き込み、読み出しを行なう複数の磁気ヘッド５、これら磁気ヘッド５を磁気ディスク２に対して移動自在に支持したヘッドアクチュエータ６、ヘッドアクチュエータ６を回動及び位置決めするボイスコイルモータ（以下、ＶＣＭと称する）７、磁気ヘッド５を磁気ディスク２から離間した位置に保持するランプロード機構９、及びヘッドＩＣ等を有する基板ユニット８が収納されている。」との記載、図１及び図２によれば、ディスク装置は、磁気ディスク（２）を回転させるスピンドルモータ（３）と、磁気ディスク（２）に対して情報の書き込み読み出しを行なう磁気ヘッド（５）を磁気ディスク（２）に対して移動自在に支持するヘッドアクチュエータ（６）、ヘッドアクチュエータ（６）を回動及び位置決めするボイスコイルモータ（７）とをベース筐体（１）上に備えている。
　また、上記ハ．の【００２３】における「磁気ディスク２の外周に沿ったベース筐体５上には後述する呼吸フィルた１１が配置されている。呼吸フィルタ１１はＳＰＭ３の回転軸を中心としてランプ機構９が配置されて位置に磁気ディスク２を挟んで対象な位置に配置されている。図１、図２に示すように、具体的にはベース筐体１のランプ機構９が配置される角部と対角位置の角部に配置されるものである。」との記載、図１及び図２によれば、ディスク装置は、ランプ機構（９）とスピンドルモータ（３）の回転軸を中心として対称に配置される呼吸フィルタ（１１）を備えている。ここで、上記ニ．の【００３３】における「リミッタ部１１ｂが呼吸フィルタ１１の本体部の台形下底面のほぼ中心位置に１個所設けられ、・・・それぞれの磁気ディスク２の最外面に対向し、それぞれの磁気ディスク面と所定の間隔を持って、且つ磁気ディスク２の外周から面方向にオーバーラップ（重なるように）突出した第２のリミッタ部１１ｃが設けられている。」との記載、同ニ．の【００３４】における「本実施形態のリミッタ部１１ｂ、１１ｃはＥブロック形状で構成され、それぞれが磁気ディスク２の外周表面と所定の間隔を持って対向することとで、磁気ディスク２同士の衝突ばかりでなく、最上面の磁気ディスクとトップカバー１２の衝突、あるいは、最下面の磁気ディスクとベース筐体１の衝突をも防止することが可能となる構造をとっている。」との記載、及び図５によれば、呼吸フィルタ（１１）は、スピンドルモータ（３）の回転軸方向における磁気ディスク（２）の動きを規制するリミッタ部（１１ｂ）及び第２のリミッタ部（１１ｃ）を有している。
　また、図５によれば、前述のリミッタ部（１１ｂ）及び第２のリミッタ部（１１ｃ）は、磁気ディスク（２）の外周領域上方に位置する第２のリミッタ部（１１ｃ）と、磁気ディスク（２）の外周領域下方に位置するリミッタ部（１１ｂ）とを備えていることが見て取れる。
　また、前述のランプ機構（９）は、磁気ディスク（２）上から退避された磁気ヘッド（５）を載置するものであることは技術常識である。
　
　したがって、上記引用例１には、以下の発明（以下、「引用発明１」という。）が記載されているものと認められる。
　
　「磁気ディスク（２）を回転させるスピンドルモータ（３）と、前記磁気ディスク（２）に対して情報の書き込み読み出しを行なう磁気ヘッド（５）を前記磁気ディスク（２）に対して移動自在に支持するヘッドアクチュエータ（６）、ヘッドアクチュエータ（６）を回動及び位置決めするボイスコイルモータ（７）とをベース筐体（１）上に備えるディスク装置であって、
　前記磁気ディスク（２）上から退避された前記磁気ヘッド（５）を載置するランプ機構（９）と前記スピンドルモータ（３）の回転軸を中心として対称に配置され、前記スピンドルモータ（３）の回転軸方向における前記磁気ディスク（２）の動きを規制するリミッタ部（１１ｂ）及び第２のリミッタ部（１１ｃ）を有する呼吸フィルタ（１１）を備え、
　前記呼吸フィルタ（１１）のリミッタ部（１１ｂ）及び第２のリミッタ部（１１ｃ）は、
　前記磁気ディスク（２）の外周領域上方に位置する第２のリミッタ部（１１ｃ）と、前記磁気ディスク（２）の外周領域下方に位置するリミッタ部（１１ｂ）と、を備える、ディスク装置。」
　
Ｂ　原審の拒絶理由に引用された特開平１１−３０６７２９号公報（以下、「引用例２」という。）には、図面とともに以下の事項が記載されている。 
　
ホ．「【０００１】
【発明の属する技術分野】本発明は、データ領域にデータが記録される記録ディスクと、この記録ディスクに対してデータを書き込んだり読み出したりするヘッドとを備える記録ディスク装置に関する。こうした記録ディスク装置は、例えばハードディスクドライブ（ＨＤＤ）といった磁気ディスク装置に代表される。」（２頁１欄）
　
ヘ．「【００１２】図１は本発明の第１実施形態に係る記録ディスク装置としてのハードディスクドライブ（ＨＤＤ）１０の外観を示す。このＨＤＤ１０は、例えばワークステーションといったコンピュータ装置１１に組み込まれて使用される。ＨＤＤ１０は、コンピュータ装置１１に予め内蔵されてもよく、図示するように、スロット１２を通じて組立後のコンピュータ装置１１に後付けされてもよい。その他、こういったＨＤＤ１０を外部記憶装置として構成してもよい。コンピュータ装置は、その他、持ち運び可能なノートブックタイプやポータブルタイプであってもよい。
【００１３】図２を参照し、ＨＤＤ１０は、コンピュータ装置１１のメインボード（図示せず）から延びる制御用ケーブル１３が接続される制御用コネクタ１４を備える。ＨＤＤ１０は、制御用ケーブル１３および制御用コネクタ１４を通じてコンピュータ装置１１との間で電気信号をやり取りする。ＨＤＤ１０には、電源用コネクタ１５に接続される電源用ケーブル１６から動作用電力が供給される。電源用ケーブル１６は、コンピュータ装置１１の電源ユニット（図示せず）に通じている。
【００１４】ＨＤＤ１０のハウジング１８は、第１および第２ハウジング半体１９、２０から構成される。第１ハウジング半体１９には、図３に示すように、磁気ディスク２２の回転軸２３が取り付けられる。第１ハウジング半体１９に第２ハウジング半体２０が結合されると、第１ハウジング半体１９から突出する磁気ディスク２２が第２ハウジング半体２０によって覆われる。こうして、第１および第２ハウジング半体１９、２０によって形成される収容空間に磁気ディスク２２全体が収容されることとなる。
【００１５】各磁気ディスク２２のディスク面には磁気ヘッド２４が対向する。各磁気ヘッド２４は、アクチュエータ機構２５によって磁気ディスク２２の半径方向に揺動駆動される。アクチュエータ機構２５は、板ばねといったサスペンション２６を介して先端に磁気ヘッド２４が搭載されるアーム２７を備える。アーム２７は、揺動軸２８回りで揺動することができる。アーム２７の揺動は磁気回路２９によって駆動される。
【００１６】図４に示すように、回転軸２３には、複数枚（この場合１０枚）の磁気ディスク２２が固定される。磁気ディスク２２は、回転軸２３下端のフランジ３１と、回転軸２３先端に固定されるクランプ３２との間に挟み込まれる。磁気ディスク２２同士の間には間隔リング３３が配置され、その結果、磁気ディスク２２は、回転軸２３に沿って一定の間隔ｄ（例えばｄ＝１．８４ｍｍ）を空けて配列されることとなる。回転軸２３は、回転軸２３内に配置されるスピンドルモータ３４の働きによって回転駆動される。コンピュータ装置１１が磁気ディスク２２から情報を読み出す際には、制御用コネクタ１４を通じて制御信号がＨＤＤ１０に供給される。アクチュエータ機構２５によってトラッキング制御された磁気ヘッド２４は、回転する磁気ディスク２２から情報を読み出す。コンピュータ装置１１が磁気ディスク２２に情報を書き込む際には、同様に、供給された制御信号に基づいてトラッキング制御された磁気ヘッド２４が、回転する磁気ディスク２２に対して情報を記録する。
【００１７】ハウジング１８の側壁には、所定の間隔を空けて各磁気ディスク２２のディスク面に対向する変位規制片３５が一体に形成される。図５から明らかなように、変位規制片３５に形成される断面三角突起３５ａの先端は、磁気ディスク２２外周に残存する非データ領域３６に留まっており、データが記録されるデータ領域３７には達していない。」（３頁３〜４欄）
　
ト．「【００２１】いま、ＨＤＤ１０のハウジング１８に外部から大きな衝撃が加わった場合を想定する。こうした衝撃は、図４から明らかなように、回転軸２３に固定される磁気ディスク２２の内周を支点に磁気ディスク２２が撓むような外力を磁気ディスク２２に作用させる。この撓みによって、磁気ディスク２２の外周に向かうに従って大きな変位が発生しようとする。
【００２２】図５から明らかなように、拘束のない磁気ディスク２２外縁は、所定量の変位を経た後、断面三角突起３５ａに衝突してそれ以上の変位を規制される。その結果、磁気ディスク２２の撓みが抑制され、磁気ヘッド２４やサスペンション２６に大きな衝撃が加わることが回避される。したがって、磁気ヘッド２４やサスペンション２６の損傷が回避される。同時に、磁気ディスク２２の撓みが抑制される結果、剛性の高いアーム２７先端が磁気ディスク２２に衝突することもない。磁気ディスク２２のディスク面の損傷が回避される。しかも、断面三角突起３５ａには、データが記録されていない非データ領域３６が衝突することから、衝突によって磁気ディスク２２のデータ領域３７が損傷することもない。その結果、磁気ヘッド２４による良好な書き込み／読み出し動作が保証される。
【００２３】なお、磁気ディスク２２外縁の変位量を決定する磁気ディスク２２外周と断面三角突起３５ａとの間隔は、サスペンション２６のばね定数や、磁気ディスク２２のディスク面とアーム２７先端との距離を考慮して任意に設定されればよい。また、変位規制片３５の断面三角突起３５ａは、磁気ディスク２２の外周全体にわたって配置されてもよく一部にのみ配置されてもよい。ただし、磁気ヘッド２４の移動軌跡の延長線上に配置されることが望ましい。磁気ヘッド２４に対する磁気ディスク２２の相対変位を最小限に抑えられるからである。さらに、こうした断面三角突起３５ａに代えて、図６に示すような断面矩形突起３５ｂを形成してもよい。」（４頁５欄）
　
　上記引用例２の記載及び図面並びにこの分野における技術常識を考慮すると、上記ホ．、上記ヘ．の【００１７】における「ハウジング１８の側壁には、所定の間隔を空けて各磁気ディスク２２のディスク面に対向する変位規制片３５が一体に形成される。」との記載、図５及び図６によれば、ハードディスクドライブ（ＨＤＤ）（１０）は、変位規制片（３５）を一体に形成されたハウジング（１８）の側壁を備えている。ここで、上記ヘ．の【００１７】における「図５から明らかなように、変位規制片３５に形成される断面三角突起３５ａの先端は、磁気ディスク２２外周に残存する非データ領域３６に留まっており、データが記録されるデータ領域３７には達していない。」との記載、上記ト．の【００２３】における「こうした断面三角突起３５ａに代えて、図６に示すような断面矩形突起３５ｂを形成してもよい。」との記載、図５及び図６によれば、前述の変位規制片（３５）は、磁気ディスク（２２）の径方向において、磁気ディスク（２２）の最外周から断面矩形突起（３５ｂ）の内周側の端部までの長さは、磁気ディスク（２２）のデータ領域（３７）よりも外周の非データ領域（３６）の長さよりも短いことが読み取れる。
　
　したがって、上記引用例２には、以下の発明（以下、「引用発明２」という。）が記載されているものと認められる。
　
　「磁気ディスク（２２）の径方向において、磁気ディスク（２２）の最外周からハードディスクドライブ（ＨＤＤ）（１０）の変位規制片（３５）の断面矩形突起（３５ｂ）の内周側の端部までの長さは、磁気ディスク（２２）のデータ領域（３７）よりも外周の非データ領域（３６）の長さよりも短くする技術。」
　
（３）対比・判断 
　補正後の発明と引用発明１とを対比する。 
ａ．引用発明１の「磁気ディスク（２）」、「スピンドルモータ（３）」、「情報の書き込み読み出し」、「磁気ヘッド（５）」、「ベース筐体（１）」及び「ランプ機構（９）」は、補正後の発明の「記録媒体であるディスク」、「回転駆動部」、「記録再生」、「ヘッド」、「ベース」及び「ランプ」にそれぞれ相当する。
ｂ．引用発明１の「ヘッドアクチュエータ（６）、ヘッドアクチュエータ（６）を回動及び位置決めするボイスコイルモータ（７）」は、「ヘッドスタックアセンブリ」といえ、「磁気ヘッド（５）」（ヘッド）を、「前記磁気ディスク（２）」（前記ディスク）上の書き込み読み出しを行なうため所定の位置（地位）に（回転）移動させるから、引用発明１の「磁気ヘッド（５）を前記磁気ディスク（２）に対して移動自在に支持するヘッドアクチュエータ（６）、ヘッドアクチュエータ（６）を回動及び位置決めするボイスコイルモータ（７）」は、「ヘッドを前記ディスク上の所定の地位に回転移動させるヘッドスタックアセンブリ」ということができる。
ｃ．引用発明１の「回転軸を中心として対称に配置され」は、「回転中心に対して略対称に設けられ」に含まれる。
　
　したがって、補正後の発明と引用発明１は、以下の点で一致ないし相違している。 
　
（一致点） 
　「記録媒体であるディスクを回転させる回転駆動部と、前記ディスクに対して記録再生を行うヘッドを前記ディスク上の所定の地位に回転移動させるヘッドスタックアセンブリとをベース上に備えるディスク装置であって、
　前記ディスク上から退避された前記ヘッドを載置するランプと前記回転駆動部の回転中心に対して略対称に設けられ、前記回転駆動部の回転軸方向における前記ディスクの動きを規制するリミッタを有するフィルタを備え、
　前記フィルタのリミッタは、
　前記ディスクの外周領域上方に位置する第１のリミッタ部と、前記ディスクの外周領域下方に位置する第２のリミッタ部と、を備える、ディスク装置。」
　
（相違点１）
　「リミッタ」と「ディスク」の関係に関し、
　補正後の発明は、「前記ディスクの径方向において、前記ディスクの最外周から前記リミッタの内周側の端部までの長さは、前記ディスクのデータ記憶領域よりも外周側の外周領域の長さよりも短い」のに対し、引用発明１は、当該「前記ディスクの径方向において、前記ディスクの最外周から前記リミッタの内周側の端部までの長さは、前記ディスクのデータ記憶領域よりも外周側の外周領域の長さよりも短い」との特定がない点。
　
（相違点２）
　「リミッタ」の形状に関し、
　補正後の発明は、「前記第１のリミッタ部と前記第２のリミッタ部とは、前記ディスクの回転軸方向において対向しないように形成される」のに対し、引用発明１は、その様な構成でない点。
　
　そこで、まず、上記相違点１について検討する。
　上記引用例２の上記ト．の【００２２】において「断面三角突起３５ａには、データが記録されていない非データ領域３６が衝突することから、衝突によって磁気ディスク２２のデータ領域３７が損傷することもない。」と記載されているように磁気ディスクのデータ領域の損傷を防ぐことは、ディスク装置である以上、当然に考慮すべき課題である。
　そうすると、当業者であるならば、引用発明１の「リミッタ部（１１ｂ、１１ｃ）」（リミッタ）に引用発明２を適用して、補正後の発明のように「前記ディスクの径方向において、前記ディスクの最外周から前記リミッタの内周側の端部までの長さは、前記ディスクのデータ記憶領域よりも外周側の外周領域の長さよりも短く」することは容易になし得ることである。
　
　次に、上記相違点２について検討する。 
　ディスク装置において、上部支持片と下部支持片とを、ディスクの厚み方向において対向しないように形成することは、例えば、特開２００５−２５８５６号公報（段落【００２２】における「各ストッカ２１の半円弧状の内周面には複数の上部支持片２３ａと下部支持片２３ｂが中心方向に向けて突設されている。これら上部支持片２３ａと下部支持片２３ｂはストッカ２１の厚み方向へ位置ずれしており」との記載、図１３）に開示されるように周知である。
　そうすると、ディスクを規制するリミッタの形状について、当業者であれば、補正後の発明のように「前記第１のリミッタ部と前記第２のリミッタ部とは、前記ディスクの回転軸方向において対向しないように形成される」ことは適宜なし得ることである。
　加えて、ディスク装置において、ディスクを支持するディスクトレーの凹所の外周に、ポケットを一体成形することは、例えば、特開２０００−１８７９１５号公報（段落【００１４】における「ディスクトレー２の凹所３の外周で、イジェクト方向である矢印ｂ方向側の３箇所にポケット１４をほぼ等間隔等に一体成形し」との記載、図１、図４、図７、８）に開示されるように周知である。そして、ポケットを一体成形する際には、一方の支持部材（ポケットの壁部）を他方の支持部材（ディスクトレーのディスク載置面）とは対向しないように一体成形することは技術常識である。
　そうすると、ディスクを規制するリミッタの形状について、当業者であるならば、補正後の発明のように「前記第１のリミッタ部と前記第２のリミッタ部とは、前記ディスクの回転軸方向において対向しないように形成される」ことは適宜なし得ることである。
　したがって、上記相違点２は格別のことではない。
　
　そして、補正後の発明の作用効果も、引用発明１、２及び周知技術から当業者が容易に予測できる範囲のものである。 
 　 
　以上のとおり、補正後の発明は引用発明１、２及び周知技術に基づいて容易に発明できたものであるから、特許法第２９条第２項の規定により、特許出願の際独立して特許を受けることができないものである。 
 　 
４．結語 
　したがって、本件補正は、特許法第１７条の２第６項において準用する同法第１２６条第７項の規定に違反するので、同法第１５９条第１項において読み替えて準用する同法第５３条第１項の規定により却下すべきものである。  
 　 
第３　本願発明について 
１．本願発明 
　平成２５年２月６日付けの手続補正は上記のとおり却下されたので、本願発明は、上記「第２　補正却下の決定　１．本願発明と補正後の発明」の項で「本願発明」として認定したとおりである。 
　 
２．引用発明 
　引用発明は、上記「第２　補正却下の決定」の項中の「３．独立特許要件について」の項中の「（２）引用発明」の項で認定したとおりである。 
 　 
３．対比・判断 
　本願発明は上記補正後の発明から当該本件補正に係る限定を省いたものである。 
　そうすると、本願発明の構成に当該本件補正に係る限定を付加した補正後の発明が、上記「第２　補正却下の決定」の項中の「３．独立特許要件について」の項で検討したとおり、引用発明１及び２に基づいて容易に発明できたものであるから、本願発明も同様の理由により、容易に発明できたものである。 
　 
４．むすび 
　以上のとおり、本願発明は、引用発明１及び２に基づいて当業者が容易に発明をすることができたものであるから、特許法第２９条第２項の規定により特許を受けることができない。 
 　
　よって、結論のとおり審決する。